(57)【要約】  物理ダウンリンク共有チャネルデータ伝送方法が提供される。ユーザ端末はスケジューリングするセルのＰＤＣＣＨでクロスキャリアスケジューリング情報を受信する。クロスキャリアスケジューリング情報は、クロスキャリアスケジューリングでスケジューリングされるセルの少なくとも一つのサブフレームにおける少なくとも一つのＰＤＳＣＨを表示するスケジューリング情報を伝達する。ＵＥは、受信されたクロスキャリアスケジューリング情報によってその指示に対応するＰＤＳＣＨのデータを処理する。ＵＥは、処理された結果によってＨＡＲＱ−ＡＣＫメッセージを基地局に伝送する。ＵＥのピークレートが増加され、ＵＥのより高いスループットに対する要求が満たされる。
2015516718.tif 000002
【特許請求の範囲】
【請求項１】
物理ダウンリンク共有チャネル（ＰＤＳＣＨ）データを伝送する方法であって、
ユーザ端末（ＵＥ）により、スケジューリングするセルの物理ダウンリンク制御チャネル（ＰＤＣＣＨ）でクロスキャリアスケジューリング情報を受信し、前記クロスキャリアスケジューリング情報が、クロスキャリアスケジューリングでスケジューリングされるセルの少なくとも一つのサブフレームにおける少なくとも一つのＰＤＳＣＨを表示するスケジューリング情報を伝達するステップと、
前記ＵＥにより、前記受信されたクロスキャリアスケジューリング情報によって前記表示に対応する少なくとも一つのＰＤＳＣＨのデータを処理するステップと、
前記ＵＥにより、前記処理された結果によってＨＡＲＱ−ＡＣＫメッセージを基地局に伝送するステップとを含む方法。
【請求項２】
前記ＰＤＣＣＨと前記ＰＤＳＣＨとの間の対応関係は、前記スケジューリングされるセルのダウンリンクサブフレームにおけるＰＤＳＣＨだけが、前記スケジューリングされるセルのダウンリンク関連セットに存在する、スケジューリングするセルのダウンリンクサブフレームにおけるＰＤＣＣＨによりクロスキャリアスケジューリングされることができることを満たすことを特徴とする請求項１に記載の方法。
【請求項３】
前記ＰＤＣＣＨと前記ＰＤＳＣＨとの間の対応関係は、サブフレームであって、前記サブフレームが前記スケジューリングされるセルと前記スケジューリングするセルの両方でダウンリンクサブフレームである場合、前記スケジューリングされるセルの前記サブフレームにおけるＰＤＳＣＨが前記スケジューリングするセルの前記サブフレームにおけるＰＤＣＣＨによりクロスキャリアスケジューリングされることをさらに満たすことを特徴とする請求項２に記載の方法。
【請求項４】
前記ＰＤＣＣＨと前記ＰＤＳＣＨとの間の対応関係は、サブフレームであって、前記サブフレームが前記スケジューリングされるセルにおけるダウンリンクサブフレームであり、かつ、前記スケジューリングするセルにおけるアップリンクサブフレームである場合、前記スケジューリングされるセルの前記ダウンリンクサブフレームにおけるＰＤＳＣＨは、前記ダウンリンク関連セットに存在し前記スケジューリングされるセルの前記ダウンリンクサブフレームの前に位置される、前記スケジューリングするセルのダウンリンクサブフレームにおけるＰＤＣＣＨによりクロスキャリアスケジューリングされることをさらに満たすことを特徴とする請求項２に記載の方法。
【請求項５】
前記ＰＤＣＣＨと前記ＰＤＳＣＨとの間の対応関係は、サブフレームであって、前記サブフレームが前記スケジューリングされるセルにおけるダウンリンクサブフレームであり、かつ、前記スケジューリングするセルにおけるアップリンクサブフレームである場合、前記スケジューリングされるセルの前記ダウンリンクサブフレームにおけるＰＤＳＣＨは、前記ダウンリンク関連セットに存在し前記ダウンリンクサブフレームの前に位置され前記スケジューリングされるセルの前記ダウンリンクサブフレームに最も近く位置している、前記スケジューリングするセルのダウンリンクサブフレームにおけるＰＤＣＣＨによりクロスキャリアスケジューリングされることをさらに満たすことを特徴とする請求項２に記載の方法。
【請求項６】
前記ＰＤＣＣＨと前記ＰＤＳＣＨとの間の対応関係は、サブフレームであって、前記サブフレームが前記スケジューリングされるセルにおけるダウンリンクサブフレームであり、かつ、前記スケジューリングするセルにおけるアップリンクサブフレームであり、前記ダウンリンク関連セットに存在しながら前記スケジューリングされる前記ダウンリンクサブフレームの前に位置される前記スケジューリングするセルにおけるダウンリンクサブフレームが存在しない場合、前記スケジューリングされるセルの前記ダウンリンクサブフレームにおけるＰＤＳＣＨは、クロスキャリアスケジューリングされないことをさらに満たすことを特徴とする請求項２に記載の方法。
【請求項７】
前記ダウンリンク関連セットは、非クロスキャリアスケジューリングで前記ＵＥのＰＤＳＣＨのＨＡＲＱ−ＡＣＫタイミング関係により決定されるか、または、特にクロスキャリアスケジューリングで使用される前記スケジューリングされるセルの前記ＰＤＳＣＨのプリセットＨＡＲＱ−ＡＣＫタイミング関係により決定されることを特徴とする請求項２に記載の方法。
【請求項８】
前記スケジューリング情報を伝達するステップは、前記ＰＤＣＣＨにおけるダウンリンク割当てインジケータ（ＤＡＩ）を使用して前記表示のためのスケジューリング情報を伝達するステップであることを特徴とする請求項１に記載の方法。
【請求項９】
前記クロスキャリアスケジューリング情報は、前記ＰＤＣＣＨにおけるキャリアインジケータフィールド（ＣＩＦ）を使用して前記表示のためのスケジューリング情報を伝達することにより前記スケジューリング情報を伝達することを特徴とする請求項１に記載の方法。
【請求項１０】
前記クロスキャリアスケジューリング情報は、前記ＰＤＣＣＨにおけるダウンリンク割当てインジケータ（ＤＡＩ）及びキャリアインジケータフィールド（ＣＩＦ）を使用して前記表示のためのスケジューリング情報を共に伝達することで前記スケジューリング情報を伝達することを特徴とする請求項１に記載の方法。
【請求項１１】
前記クロスキャリアスケジューリング情報は、前記ＰＤＣＣＨにおけるパディング ビット及びプリセット新規ビットを使用して前記表示のためのスケジューリング情報を共に伝達することで前記スケジューリング情報を伝達することを特徴とする請求項１に記載の方法。
【発明の詳細な説明】
【技術分野】
【０００１】
本発明は一般的に無線通信システムに関し、より具体的には、物理ダウンリンク共有チャネル（Physical Downlink Shared Channel;ＰＤＳＣＨ）データ伝送方法に関する。
【背景技術】
【０００２】
ＬＴＥ（Long Term Evolution）システムは周波数分割二重（Frequency Division Duplexing;ＦＤＤ）モード及び時分割二重（Time Division Duplexing;ＴＤＤ）モードをサポートする。図１は、ＴＤＤシステムにおけるフレーム構造を図示した概略図である。各無線フレームの長さは１０ｍｓであり、各無線フレームは５ｍｓ長さの２個のハーフフレームに分割される。各ハーフフレームは、各々０．５ｍｓの長さを有する８個のデータタイムスロット及び３個の特殊タイムスロット、すなわちダウンリンクパイロットタイムスロット（Downlink Pilot Time Slot;ＤｗＰＴＳ）、ガードピリオド（Guard  Period;ＧＰ）及びアップリンクパイロットタイムスロット（Uplink Pilot Time Slot;ＵｐＰＴＳ）で構成される。３個の特殊タイムスロットの全体長さは１ｍｓである。各サブフレームは２個の連続的なタイムスロット、すなわち、ｋｔｈサブフレームはタイムスロット（２ｋ）及びタイムスロット（２ｋ＋１）を含む。
【０００３】
ＴＤＤシステムは７個の相異なるアップリンク及びダウンリンク構成をサポートする。表１に示すように、Ｄはダウンリンクサブフレームを示し、Ｕはアップリンクサブフレームを示し、Ｓは前述した３個の特殊タイムスロットで構成された特殊サブフレームを示す。
【０００４】
【表１】
2015516718.tif 000003
【０００５】
ユーザの伝送速度を高めるために、ＬＴＥシステムのＬＴＥ−Ａ（ＬＴＥ−Advanced）システムが導入された。ＬＴＥ−Ａシステムで、より広い帯域幅は、複数のコンポーネントキャリア（Component Carrier;ＣＣ）を集成することによって、すなわち、キャリアアグリゲーション（Carrier Aggregation;ＣＡ）を通して得られ、より高い伝送速度をサポートするために通信システムのアップリンク及びダウンリンクを構成する。例えば、１００ＭＨｚ帯域幅は５個の２０ＭＨｚＣＣを集成することによって得られる。ここで、それぞれのＣＣはセルと称される。ユーザ端末（ＵＥ）のために、基地局は複数のセルで作動するようにＵＥを設定することができ、複数のセルのうち一つは第１のセル（Primary Cell）（ＰＣＣまたはPcell）と称され、残りは第２のセル（Secondary Cell）（ＳＣＣまたはScell）と称される。
【０００６】
ＬＴＥ−Ａ ＴＤＤシステムの要求事項によって、一緒に集成された複数のセルは同一なアップリンク及びダウンリンク構成を採用する。
【０００７】
しかし、キャリアアグリゲーションが実行される複数のセル間の周波数領域の距離が十分大きい場合、これらセルは相互干渉することなく、相異なるＴＤＤアップリンク及びダウンリンク構成を採択することができる。また、場合によっては、各セルの隣接チャネルは相異なるアップリンク及びダウンリンク構成で配置されることがある（例えば、隣接チャネルは相異なるＴＤ−ＳＣＡＭＡ（Time Division-Synchronous Code Division Multiple Access）構成を有する）。この時点で、これらセルが引続き同一なＴＤＤアップリンク及びダウンリンク構成を採用する場合、深刻な隣接チャネル干渉が生成されることがある。したがって、ＬＴＥ−Ａの後続研究における重要な課題は、キャリアアグリゲーションが実行される複数のセルを効果的にサポートする方式であり、ここで、複数のセルは相異なるＴＤＤアップリンク及びダウンリンク構成を有する。
【０００８】
ヘテロジーニアスネットワーク（Heterogeneous Network；Het-Net）シーン（scene）の下で制御信号を保護するために、クロスキャリアスケジューリングモード（cross-carrier scheduling mode）が導入された。クロスキャリアスケジューリングは、他のセルで伝送された物理ダウンリンク制御チャネル（Physical Downlink Control Channel;ＰＤＣＣＨ）によりスケジューリングされるセルにおけるＰＤＳＣＨデータ伝送を示す。図２に示すように、セル（１）のＰＤＣＣＨは、セル（２）のＰＤＳＣＨデータをスケジューリングする。従って、深刻な干渉がセル（２）に存在する場合、セル（２）の制御チャネルは、セル（１）で伝送されることができ、これによってセル（２）の制御チャネルは保護される。ＰＤＣＣＨを伝送するセルはスケジューリングするセルとして知られ、ＰＤＳＣＨを伝送するセルはスケジューリングされるセルとして知られている。
【０００９】
現在の３ＧＰＰバージョン１０の要求事項によれば、ＰＤＳＣＨのクロスキャリアスケジューリングは、サブフレームがＰＤＣＣＨのサブフレームと同一である、スケジューリングされるセルのＰＤＳＣＨをスケジューリングするためのセルのＰＤＣＣＨを示す。したがって、スケジューリングするセルとスケジューリングされるセルのＴＤＤアップリンク及びダウンリンク構成が異なる場合、特にスケジューリングされるセルのダウンリンクサブフレームがスケジューリングするセルのダウンリンクサブフレームのセットに存在しない場合、スケジューリングされるセルのダウンリンクサブフレームの一部のＰＤＳＣＨは、スケジューリングするセルのダウンリンクサブフレームのＴＤＤアップリンク及びダウンリンク構成と異なるダウンリンクサブフレームの一部のＴＤＤアップリンク及びダウンリンク構成により、クロスキャリア方式でスケジューリングされることができなくなる。
【００１０】
図３は、相異なるＴＤＤアップリンク及びダウンリンク構成を採用する２個のセルを図示する概略図である。図３で、上部部分はスケジューリングするセルのＴＤＤアップリンク及びダウンリンク構成を図示した概略図であり、下部部分はスケジューリングされるセルのＴＤＤアップリンク及びダウンリンク構成を図示した概略図である。図３から分かるように、前述したクロスキャリアスケジューリング原理に従って、スケジューリングするセルのサブフレーム３及びサブフレーム８は、アップリンクサブフレームになるので、クロスキャリア方式でスケジューリングされるセルのダウンリンクサブフレーム３及びサブフレーム８をスケジューリングすることができない。
【発明の概要】
【発明が解決しようとする課題】
【００１１】
前述したように、既存のＰＤＳＣＨクロスキャリアスケジューリング方法がＰＤＳＣＨ伝送を具現するために採用される場合、サブフレームの一部のＰＤＳＣＨがスケジューリングされることができない点で問題を引き起こすことがある。したがって、端末ユーザのピークレートが影響を受け、端末ユーザの高いスループット（throughput）に対する要求事項を満たすことができない。
【課題を解決するための手段】
【００１２】
本発明は、少なくとも前述した問題点及び短所を解決するためのものであって、少なくとも下記の利点を提供する。したがって、本発明の様態はＰＤＳＣＨ伝送方法を提供し、端末ユーザのピークレート及びシステムスループットを増加させることができる。
【００１３】
本発明の一つの様態によれば、ＰＤＳＣＨデータ伝送方法が提供されるが、これはユーザ端末（ＵＥ）により、スケジューリングするセルのＰＤＣＣＨでクロスキャリアスケジューリング（cross-carrier scheduling）情報を受信し、上記クロスキャリアスケジューリング情報がクロスキャリアスケジューリングにスケジューリングされるセルの少なくとも一つのサブフレームにおける少なくとも一つのＰＤＳＣＨを表示するスケジューリング情報を伝達するステップと、上記ＵＥにより、上記受信されたクロスキャリアスケジューリング情報によって上記表示に対応する少なくとも一つのＰＤＳＣＨのうちのデータを処理するステップと、上記ＵＥにより、上記処理された結果によってＨＡＲＱ−ＡＣＫ（Hybrid Automatic Repeat Request Acknowledgement）メッセージを基地局に伝送するステップとを含む。
【００１４】
本発明の様態によるＰＤＳＣＨ伝送方法で、クロスキャリアスケジューリングを実行する場合、上記基地局は、スケジューリングするセルのＰＤＣＣＨを使用してクロスキャリアスケジューリングでスケジューリングされるセルの少なくとも一つのサブフレームにおける少なくとも一つのＰＤＳＣＨを表示するためのスケジューリング情報をＵＥに伝送し、上記ＵＥは、上記スケジューリング情報によって処理されるＰＤＳＣＨを獲得する。従って、クロスキャリアスケジューリングの柔軟性を増加させることができる。クロスキャリア方式でＰＤＳＣＨデータがスケジューリングされる場合、端末ユーザのスケジューリングされるセルにおけるスケジューリングされることができるダウンリンクサブフレームがより多くなる。従って、端末ユーザのピークレートが増加され、端末ユーザのより高いスループット要求事項を満たすことができる。
【発明の効果】
【００１５】
本発明により提供されるＰＤＳＣＨ伝送方法は、ＣＡシステム内のセルが相異なるＴＤＤアップリンク及びダウンリンク構成で設定されてクロスキャリアスケジューリングが実行される場合に、ＵＥのスケジューリングされるセルがスケジューリングされることができるダウンリンクサブフレームをより多く有することを保障することが上記から分かる。したがって、ＵＥのピークレートが増加され、相異なるＴＤＤアップリンク及びダウンリンク構成で複数のセルが設定されるＣＡシステムにおけるＵＥのスループットは増大する。
【００１６】
したがって、ユーザのより高いスループットに対する要求事項を満たす。
【００１７】
要約して、前述した説明は本発明の実施形態を提供し、本発明の保護範囲を限定するものではない。本発明の思想及び原理を抜け出さない範囲内の任意の変形、同等な置換または改善は本発明の次の請求項の保護範囲に含まれなければならない。
【００１８】
本発明の上記及び他の様態、特徴、及び利点は添付図面と共に次の詳細な説明より明確になる。
【図面の簡単な説明】
【００１９】
【図１】既存ＴＤＤシステムにおけるフレーム構造を図示した概略図である。
【図２】クロスキャリアスケジューリングを具現するための２個のセルを図示した概略図である。
【図３】相異なるＴＤＤアップリンク及びダウンリンク構成を採用する２個のセルを図示した概略図である。
【図４】本発明の一実施形態によるＰＤＳＣＨ伝送方法を図示したフローチャートである。
【図５】本発明の一実施形態によるクロスキャリアスケジューリングの応用を図示した概略図である。
【図６】本発明の一実施形態による同一なサブフレームのクロスキャリアスケジューリングを図示した概略図である。
【図７】本発明の一実施形態による相異なるサブフレームのクロスキャリアスケジューリングを図示した概略図である。
【図８】本発明の一実施形態によるクロスキャリアを具現できない応用を図示した概略図である。
【図９】本発明の一実施形態によるＰＤＣＣＨがクロスキャリア方式で複数のＰＤＳＣＨをスケジューリングできる応用を図示した概略図である。
【発明を実施するための形態】
【００２０】
以下、添付図面を参照して本発明の各種実施形態を説明する。次の本発明の説明で、本明細書に含まれた公知機能及び構成に対する詳細な説明はそれが本発明の主題を曖昧にするおそれがある場合に省略する。
【００２１】
キャリアアグリゲーションで構成されるＴＤＤシステムのために、本発明では、基地局の複数のセルのＴＤＤアップリンク及びダウンリンク構成が相異なることができる。ＬＴＥ−Ａと同様に、基地局にアクセスするＵＥを少なくとも一つのセルで動作するように設定することが可能である。
【００２２】
スケジューリングするセルのＰＤＣＣＨを活用するＵＥにクロスキャリアスケジューリング情報を伝送する場合、基地局は、またクロスキャリアスケジューリング情報を使用してスケジューリングされるセルのＰＤＳＣＨを表示し、ＵＥは、その表示によってサブフレームが処理されなければならないＰＤＳＣＨデータを決定できる。したがって、クロスキャリアスケジューリングが具現される場合、スケジューリングされるセルにおけるＰＤＳＣＨのスケジューリングは表示情報の柔軟性によって制限されなくなる（すなわち、スケジューリングするセルのサブフレームが、スケジューリングされるセルのＰＤＳＣＨがダウンリンクサブフレームに位置するサブフレームと同一な場合に限る）。本発明で、スケジューリングするセルのＰＤＣＣＨはスケジューリングされるセルのＰＤＳＣＨをスケジューリングするために使用されることができる。したがって、ＣＡシステム内のセルが相異なるＴＤＤアップリンク及びダウンリンク構成で設定され、ＰＤＳＣＨデータがクロスキャリア方式でスケジューリングされる場合、ＵＥのスケジューリングされるセルはスケジューリングされることができるダウンリンクサブフレームをより多く有することを保障することができる。その後に、ＵＥのピークレートが増加され、ＵＥのより高いスループットに対する要求事項が満たすことができる。
【００２３】
図４は、本発明の一実施形態によるＰＤＳＣＨ伝送方法を図示したフローチャートである。図４に示した通り、ステップ４０１で、ＵＥは、スケジューリングするセルのＰＤＣＣＨでクロスキャリアスケジューリング情報を受信し、ここで、クロスキャリアスケジューリング情報は、このクロスキャリアスケジューリングでスケジューリングされるセルの少なくとも一つのサブフレームにおける少なくとも一つのＰＤＳＣＨを表示するスケジューリング情報を伝達する。
【００２４】
ステップ４０１と既存のクロスキャリアスケジューリングＰＤＳＣＨ方法とは、クロスキャリアスケジューリング情報がＰＤＣＣＨを使用して伝送される場合、クロスキャリアスケジューリング情報にスケジューリングされるセルにＰＤＳＣＨを表示する情報を伝達することが必要である点で異なる。したがって、スケジューリングするセルのＰＤＣＣＨと同一なサブフレームでスケジューリングされるセルのＰＤＳＣＨとの間の対応関係を制限しなくても、本発明ではクロスキャリアスケジューリングに対応するＰＤＳＣＨを動的で柔軟に表示することが可能である。これに対応して、クロスキャリアスケジューリングが実行される度に、一つ以上のＰＤＳＣＨをスケジューリングすることは可能であり、これは一つのサブフレームにおける一つのＰＤＳＣＨまたは複数のサブフレームにおける複数のＰＤＳＣＨであり得る。しかし、従来の方法では一つのＰＤＳＣＨだけがスケジューリングされることができる。
【００２５】
また、スケジューリングされるセルのＰＤＳＣＨが位置しているサブフレームと同一な、スケジューリングするセルのサブフレームがアップリンクサブフレームである場合、クロスキャリアスケジューリング情報におけるスケジューリングに対応するＰＤＳＣＨを示す表示に従って、スケジューリングするセルの他のダウンリンクサブフレームにおけるＰＤＣＣＨを使用することでスケジューリングされるセルのＰＤＳＣＨに対するスケジューリングを具現することが可能である。したがって、表示のためにスケジューリング情報を伝達する上記方法は、端末ユーザのピークレートを増加させ、端末ユーザのより高いスループットの要求事項を満たす。
【００２６】
端末ユーザのピークレートを増加させ、端末ユーザのより高いスループット要求事項を満たすために、スケジューリングするセルのＰＤＣＣＨとスケジューリングされるセルのＰＤＳＣＨとの間の対応関係は次の事項を満たす必要がある。スケジューリングされるセルのダウンリンクサブフレームにおけるＰＤＳＣＨは、スケジューリングするセルのダウンリンクサブフレームにおけるＰＤＣＣＨによってクロスキャリア方式のみでスケジューリングでき、これはスケジューリングされるセルのダウンリンク関連セット（downlink association set）として存在する。
【００２７】
ここで、ダウンリンク関連セットの概念が導入される。ダウンリンク関連セットは既存システムにおけるＨＡＲＱ−ＡＣＫタイミング関係により決定される。したがって、ダウンリンク関連セットがクロスキャリアスケジューリングのためのＰＤＣＣＨを決定するために使用される場合、クロスキャリアスケジューリングを実行するＰＤＣＣＨとスケジューリングされるＰＤＳＣＨとの間の対応関係は、これ以上同一なダウンリンクサブフレームに制限されない。結果的に、ＰＤＳＣＨスケジューリングはより柔軟になることができ、クロスキャリア方式でスケジューリングされるＰＤＳＣＨの個数は増加し、ＵＥのピークレートも増加されることができる。また、ダウンリンク関連セットが既存システムに存在するために、追加的な対応通知が必要なく、本発明の具現の複雑性を減少させて、本発明の具現を容易にする。
【００２８】
実際の応用で、ダウンリンク関連セットの定義は、既存システムにおける非（non）クロスキャリアスケジューリングのダウンリンク関連セットと同一でありえる。すなわち、ダウンリンク関連セットは、非クロスキャリアスケジューリングにおけるＵＥのＰＤＳＣＨのＨＡＲＱ−ＡＣＫタイミング関係により決定されることができる。
【００２９】
既存の標準で記述されるＨＡＲＱ−ＡＣＫタイミング関係による、ＨＡＲＱ−ＡＣＫフィードバック情報が同一なアップリンクサブフレームに伝送されるダウンリンクサブフレームのセットが表２に示される。ＴＤＤアップリンク及びダウンリンク構成１において、ダウンリンクサブフレーム（ｎ−７及びｎ−６）のＨＡＲＱ−ＡＣＫフィードバック情報は無線フレーム（ｋ）のアップリンクサブフレーム（ｎ＝２）で伝送される。ダウンリンクサブフレーム（ｎ−７及びｎ−６）で構成されるセットは前述したダウンリンク関連セットである。
【００３０】
【表２】
2015516718.tif 000004
【００３１】
例えば、基地局はＣＡ ＵＥに対する２個のセルを設定し、これらのうち一つは第１のセルであり、他の一つは第２のセルである。第１のセルはＴＤＤアップリンク及びダウンリンク構成１を採用し、第２のセルはＴＤＤアップリンク及びダウンリンク構成２を採用する。非クロスキャリアスケジューリングにおいて、第１のセルはＴＤＤアップリンク及びダウンリンク構成１のＨＡＲＱ−ＡＣＫタイミング関係を保ち、第２のセルはＴＤＤアップリンク及びダウンリンク構成２のＨＡＲＱ−ＡＣＫタイミング関係を保つと仮定する。本発明のクロスキャリアスケジューリングで、第１のセルはＴＤＤアップリンク及びダウンリンク構成１のＨＡＲＱ−ＡＣＫタイミング関係を保ち、第２のセルはＴＤＤアップリンク及びダウンリンク構成２のＨＡＲＱ−ＡＣＫタイミング関係を保つと仮定する。[この例は、非クロスキャリアスケジューリングとクロスキャリアスケジューリングが同一であることを示す。これを確認されたい。]
【００３２】
実際の応用で、ダウンリンク関連セットは、特にクロスキャリアスケジューリングにおけるスケジューリングされるセルのＰＤＳＣＨの予め設定されたＨＡＲＱ−ＡＣＫタイミング関係によって決定されることができる。具体的に、ＨＡＲＱ−ＡＣＫタイミング関係は実際の要求事項によって当業者により設定されることができる。
【００３３】
スケジューリングするセルのＰＤＣＣＨとスケジューリングされるセルのＰＤＳＣＨとの間の対応関係に対する特定具現は、「スケジューリングされるセルのダウンリンクサブフレームのＰＤＳＣＨが、スケジューリングされるセルのダウンリンク関連セットに存在するスケジューリングするセルのダウンリンクサブフレームのＰＤＣＣＨによりクロスキャリア方式のみでスケジューリングできること」を充足するために必要であることを応用と共に説明する。
【００３４】
例えば、基地局は、ＣＡ ＵＥに対する２個のセルを設定し、これらのうち一つは第１のセルであり、他の一つは第２のセルである。第１のセルはＴＤＤアップリンク及びダウンリンク構成１を採用し、第２のセルはＴＤＤアップリンク及びダウンリンク構成２を採用する。第１のセルは、クロスキャリア方式で第２のセルをスケジューリングするためのセルであり、第２のセルはスケジューリングされるセルである。図５に示すように、スケジューリングされるセルのダウンリンク関連セットは｛サブフレーム９、サブフレーム０、サブフレーム１、サブフレーム３｝であり、スケジューリングされるセルのダウンリンク関連セット｛サブフレーム９、サブフレーム０、サブフレーム１、サブフレーム３｝に含まれるスケジューリングするセルのダウンリンクサブフレームは｛サブフレーム９、サブフレーム０、サブフレーム１｝を含み、従って、スケジューリングするセルの｛サブフレーム９、サブフレーム０、サブフレーム１｝におけるＰＤＣＣＨは、クロスキャリア方式でスケジューリングされるセルの｛サブフレーム９、サブフレーム０、サブフレーム１、サブフレーム３｝をスケジューリングすることができる。
【００３５】
望ましくは、ＰＤＣＣＨとＰＤＳＣＨとの間の対応関係は次の事項をさらに満たす。
【００３６】
サブフレームであって、スケジューリングされるセルとスケジューリングするセルの両方におけるサブフレームがダウンリンクサブフレームである場合、スケジューリングされるセルのサブフレームにおけるＰＤＳＣＨは、スケジューリングするセルのサブフレームにおけるＰＤＣＣＨによりクロスキャリア方式でスケジューリングされる。
【００３７】
例えば、基地局は、２個のＣＡ ＵＥを設定し、これらのうち一つは第１のセルであり、他の一つは第２のセルである。第１のセルはＴＤＤアップリンク及びダウンリンク構成１を採用し、第２のセルはＴＤＤアップリンク及びダウンリンク構成２を採用する。第１のセルはクロスキャリア方式で第２のセルをスケジューリングするためのセルであり、第２のセルはスケジューリングされるセルである。図６に示すように、スケジューリングされるセルのダウンリンク関連セットは｛サブフレーム９、サブフレーム０、サブフレーム１、サブフレーム３｝であり、スケジューリングされるセルのダウンリンク関連セット｛サブフレーム９、サブフレーム０、サブフレーム１、サブフレーム３｝に含まれるスケジューリングするセルのダウンリンクサブフレームは｛サブフレーム９、サブフレーム０、サブフレーム１｝を含み、従って、スケジューリングするセルのサブフレーム９におけるＰＤＣＣＨは、クロスキャリア方式でスケジューリングされるセルのサブフレーム９をスケジューリングすることができ、スケジューリングするセルのサブフレーム０におけるＰＤＣＣＨは、クロスキャリア方式でスケジューリングされるセルのサブフレーム０をスケジューリングすることができ、スケジューリングするセルのサブフレーム１におけるＰＤＣＣＨは、クロスキャリア方式でスケジューリングされるセルのサブフレーム１をスケジューリングすることができる。
【００３８】
望ましくは、ＰＤＣＣＨとＰＤＳＣＨとの間の対応関係は次の事項をさらに満たす。
【００３９】
サブフレームであって、サブフレームがスケジューリングされるセルにおけるダウンリンクサブフレームであり、かつ、スケジューリングするセルにおけるアップリンクサブフレームである場合、スケジューリングされるセルのダウンリンクサブフレームにおけるＰＤＳＣＨは、ダウンリンク関連セットに存在しながらスケジューリングされるセルのダウンリンクサブフレームの前に位置している、スケジューリングするセルのダウンリンクサブフレームにおけるＰＤＣＣＨによって、クロスキャリア方式でスケジューリングされる。
【００４０】
例えば、基地局は、ＣＡ ＵＥに対する２個のセルを設定し、これらのうち一つは第１のセルであり、他の一つは第２のセルである。第１のセルはＴＤＤアップリンク及びダウンリンク構成１を採用し、第２のセルはＴＤＤアップリンク及びダウンリンク構成２を採用する。第１のセルはクロスキャリア方式で第２のセルをスケジューリングするためのセルであり、第２のセルはスケジューリングされるセルである。図７に示した通り、スケジューリングされるセルのダウンリンク関連セットは｛サブフレーム９、サブフレーム０、サブフレーム１、サブフレーム３｝であり、スケジューリングされるセルのダウンリンク関連セット｛サブフレーム９、サブフレーム０、サブフレーム１、サブフレーム３｝に含まれる、スケジューリングするセルのダウンリンクサブフレームは｛サブフレーム９、サブフレーム０、サブフレーム１｝であり、スケジューリングされるセルのサブフレーム３はダウンリンクサブフレームであり、スケジューリングするセルのサブフレーム３はアップリンクサブフレームであり、従って、サブフレーム３はクロスキャリア方式でダウンリンクサブフレームによって、すなわち、ダウンリンク関連セット｛サブフレーム９、サブフレーム０、サブフレーム１、サブフレーム３｝に存在し、ダウンリンクサブフレーム３の前に位置しながらスケジューリングされるセルのダウンリンクサブフレーム３に最も近く位置している、スケジューリングするセルのダウンリンクサブフレーム１によってスケジューリングされる。
【００４１】
望ましくは、ＰＤＣＣＨとＰＤＳＣＨとの間の対応関係は次の事項をさらに満たす。
【００４２】
サブフレームであって、サブフレームがスケジューリングされるセルにおけるダウンリンクサブフレームであり、かつ、スケジューリングするセルにおけるアップリンクサブフレームであり、ダウンリンク関連セットに存在しながらスケジューリングされるセルのダウンリンクサブフレームの前に位置しているスケジューリングするセルにおけるダウンリンクサブフレームがない場合、スケジューリングされるセルのダウンリンクサブフレームにおけるＰＤＳＣＨは、クロスキャリア方式でスケジューリングされることができない。
【００４３】
例えば、基地局は、ＣＡ ＵＥに対する２個のセルを設定し、これらのうち一つは第１のセルであり、他の一つは第２のセルである。第１のセルはＴＤＤアップリンク及びダウンリンク構成１を採用し、第２のセルはＴＤＤアップリンク及びダウンリンク構成２を採用する。第１のセルはクロスキャリア方式で第２のセルをスケジューリングするためのセルであり、第２のセルはスケジューリングされるセルである。図８に示した通り、スケジューリングされるセルのダウンリンク関連セットは｛サブフレーム９、サブフレーム０、サブフレーム１、サブフレーム３｝であり、スケジューリングされるセルのダウンリンク関連セット｛サブフレーム９、サブフレーム０、サブフレーム１、サブフレーム３｝に含まれるスケジューリングするセルのダウンリンクサブフレームは｛サブフレーム０、サブフレーム１｝を含み、従って、スケジューリングするセルのサブフレーム０におけるＰＤＣＣＨはクロスキャリア方式でスケジューリングされるセルのサブフレーム０をスケジューリングすることができ、スケジューリングするセルのサブフレームにおけるＰＤＣＨは各々または一緒に、サブフレーム１及び３をスケジューリングすることができる。スケジューリングされるセルのサブフレーム９において、スケジューリングするセルのサブフレーム９はアップリンクサブフレームであり、スケジューリングされるセルのダウンリンク関連セット｛サブフレーム９、サブフレーム０、サブフレーム１、サブフレーム３｝に含まれたスケジューリングするセルにおけるダウンリンクサブフレームは、ダウンリンクサブフレーム９の前に位置しない｛サブフレーム０、サブフレーム１｝であるので、スケジューリングされるセルのダウンリンクサブフレーム９はクロスキャリア方式でスケジューリングされることができない。
【００４４】
スケジューリングするセルのダウンリンクサブフレームにおけるＰＤＣＣＨは、スケジューリングされるセルの少なくとも一つのダウンリンクサブフレームにおける少なくとも一つのＰＤＳＣＨをクロスキャリア方式でスケジューリングすることができる。
【００４５】
例えば、基地局は、ＣＡ  ＵＥに対する２個のセルを設定し、これらのうち一つは第１のセルであり、他の一つは第２のセルである。第１のセルはＴＤＤアップリンク及びダウンリンク構成１を採用し、第２のセルはＴＤＤアップリンク及びダウンリンク構成２を採用する。第１のセルは、クロスキャリア方式で第２のセルをスケジューリングするためのセルであり、第２のセルはスケジューリングされるセルである。図９に示した通り、スケジューリングされるセルのダウンリンク関連セットは｛サブフレーム９、サブフレーム０、サブフレーム１、サブフレーム３｝であり、スケジューリングされるセルのダウンリンク関連セット｛サブフレーム９、サブフレーム０、サブフレーム１、サブフレーム３｝に含まれたスケジューリングするセルのダウンリンクサブフレームは｛サブフレーム９、サブフレーム０、サブフレーム１｝を含み、従って、スケジューリングするセルのサブフレーム９におけるＰＤＣＣＨは、スケジューリングされるセルのサブフレーム９をクロスキャリア方式でスケジューリングすることができ、スケジューリングするセルのサブフレーム０におけるＰＤＣＣＨは、スケジューリングされるセルのサブフレーム０をクロスキャリア方式でスケジューリングすることができ、スケジューリングするセルのサブフレーム１におけるＰＤＣＣＨは各々または共に、スケジューリングされるセルのサブフレーム１及び３をクロスキャリア方式でスケジューリングすることができる。
【００４６】
次のような４個の方法によって、このクロスキャリアスケジューリングでスケジューリングされるセルのＰＤＳＣＨを表示するスケジューリング情報を伝達することが可能である。
【００４７】
方法１:ＰＤＣＣＨにおけるダウンリンク割当てインジケータ（Downlink Assignation Indicator;ＤＡＩ）を使用して表示のためのスケジューリング情報を伝達する。
【００４８】
ここで、このクロスキャリアスケジューリングでスケジューリングされるセルのスケジューリングされるサブフレームにおけるＰＤＳＣＨは、ＰＤＣＣＨにおけるＤＡＩの値を再定義することで表示される。既存システムにおけるＤＡＩが使用され、スケジューリングされたダウンリンクサブフレームである、クロスキャリアスケジューリングでスケジューリングされたＰＤＣＣＨが位置しているサブフレームを表示する。以下、一例と共に、再定義されたＤＡＩを使用して表示のためのスケジューリング情報を伝達する特定具現に対して詳細に説明する。
【００４９】
例えば、基地局はＣＡ ＵＥに対する２個のセルを設定し、これらのうち一つは第１のセルであり、他の一つは第２のセルである。第１のセルはＴＤＤアップリンク及びダウンリンク構成１を採用し、第２のセルはＴＤＤアップリンク及びダウンリンク構成２を採用する。第１のセルはクロスキャリア方式で第２のセルをスケジューリングするためのセルであり、第２のセルはスケジューリングされるセルである。図９に示すように、スケジューリングされるセルのダウンリンク関連セットは｛サブフレーム９、サブフレーム０、サブフレーム１、サブフレーム３｝であり、スケジューリングされるセルのダウンリンク関連セット｛サブフレーム９、サブフレーム０、サブフレーム１、サブフレーム３｝に含まれるスケジューリングするセルのダウンリンクサブフレームは｛サブフレーム９、サブフレーム０、サブフレーム１｝を含み、従って、スケジューリングするセルのサブフレーム９におけるＰＤＣＣＨは、スケーリングされるセルのサブフレーム９をクロスキャリア方式でスケジューリングすることができ、スケジューリングするセルのサブフレーム０におけるＰＤＣＣＨは、スケーリングされるセルのサブフレーム０をクロスキャリア方式でスケジューリングすることができ、スケジューリングするセルのサブフレーム１におけるＰＤＣＣＨは各々または共に、スケジューリングされるセルのサブフレーム１及び３をクロスキャリア方式でスケジューリングすることができる。
【００５０】
スケジューリングするセルのサブフレーム０におけるＰＤＣＣＨがクロスキャリア方式でスケジューリングされるセルをスケジューリングし、かつ、ＤＡＩ＝１である場合にスケジューリングされるセルのサブフレーム１は、スケジューリングするセルによりクロスキャリア方式でスケジューリングされ、また、ダウンリンクサブフレーム１はダウンリンク関連セット｛サブフレーム９、サブフレーム０、サブフレーム１、サブフレーム３｝として最初にスケジューリングされたダウンリンクサブフレームである。スケジューリングするセルのサブフレーム０におけるＰＤＣＣＨがクロスキャリア方式でスケジューリングされるセルをスケジューリングし、かつ、ＤＡＩ＝２である場合にスケジューリングされるセルのサブフレーム１は、スケジューリングするセルによりクロスキャリア方式でスケジューリングされ、ダウンリンクサブフレーム１はダウンリンク関連セット｛サブフレーム９、サブフレーム０、サブフレーム１、サブフレーム３｝で２番目にスケジューリングされたダウンリンクサブフレームである。スケジューリングするセルのサブフレーム０におけるＰＤＣＣＨがクロスキャリア方式でスケジューリングされるセルをスケジューリングし、かつ、ＤＡＩ＝３である場合にスケジューリングされるセルのサブフレーム１は、スケジューリングするセルによりクロスキャリア方式でスケジューリングされ、ダウンリンクサブフレーム１はダウンリンク関連セット｛サブフレーム９、サブフレーム０、サブフレーム１、サブフレーム３｝で３番目にスケジューリングされたサブフレームである。スケジューリングするセルのサブフレーム０におけるＰＤＣＣＨがクロスキャリア方式でスケジューリングされるセルをスケジューリングし、かつ、ＤＡＩ＝４である場合にスケジューリングされるセルのサブフレーム１及びサブフレーム３は、スケジューリングするセルによりクロスキャリア方式でスケジューリングされ、ダウンリンクサブフレーム１はダウンリンク関連セット｛サブフレーム９、サブフレーム０、サブフレーム１、サブフレーム３｝で第３番目にスケジューリングされたダウンリンクサブフレームであり、ダウンリンクサブフレーム３はダウンリンク関連セット｛サブフレーム９、サブフレーム０、サブフレーム１、サブフレーム３｝で第４番目にスケジューリングされたダウンリンクサブフレームである。
【００５１】
方法２：ＰＤＣＣＨにおけるキャリアインジケータフィールド（Carrier Indicator Field;ＣＩＦ）を使用して表示のためのスケジューリング情報を伝達する。
【００５２】
ここで、このクロスキャリアスケジューリングでスケジューリングされるセルのクロスキャリア方式でスケジューリングされるサブフレームのセットは、ＰＤＣＣＨでＣＩＦのコードを再定義することで表示される。このサブフレームのセットは、ただ一つのダウンリンクサブフレーム、または複数のダウンリンクサブフレームで構成されることができる。
【００５３】
方法３：ＰＤＣＣＨにおけるＤＡＩ及びＣＩＦを使用して表示のためのスケジューリング情報を共に伝達する。
【００５４】
ここで、このクロスキャリアスケジューリングでスケジューリングされるセルのクロスキャリア方式でスケジューリングされるサブフレームのセットは、ＰＤＣＣＨにおけるＤＡＩ及びＣＩＦの両方の値の上に組合コーディング（combination coding）を実行することで表示される。このサブフレームのセットは、ただ一つのダウンリンクサブフレーム、または複数のダウンリンクサブフレームで構成されることができる。
【００５５】
方法４：ＰＤＣＣＨにおけるパディングビット（padding bit）及びプリセット新規ビット（preset new bit）を使用して表示のためのスケジューリング情報を一緒に伝達する。
【００５６】
ここで、このクロスキャリアスケジューリングでスケジューリングされるセルのクロスキャリア方式でスケジューリングされるサブフレームのセットは、ＰＤＣＣＨのパディングビット及びプリセット新規ビットにより表示される。このサブフレームのセットはただ一つのダウンリンクサブフレーム、または複数のダウンリンクサブフレームで構成されることができる。
【００５７】
また、図４を参照すれば、ステップ４０２で、ＵＥは受信されたクロスキャリアスケジューリング情報によってインストラクションに対応するＰＤＳＣＨのデータを処理する。
【００５８】
ここでは、既存の方法と相異するように、ＵＥはクロスキャリアスケジューリング情報で伝達されたインストラクションのスケジューリング情報によって処理されるＰＤＳＣＨデータを決定する。特定データ処理方法が当業者に明らかであり、以下ではその付加説明を省略する。
【００５９】
ステップ４０３で、ＵＥは処理された結果によってＨＡＲＱ−ＡＣＫメッセージを基地局に伝送する。
【００６０】
ステップ４０３の特定具現は既存システムにおけることと同一であるので、以下では付加説明を省略する。
【図１】
2015516718.tif 000005
【図２】
2015516718.tif 000006
【図３】
2015516718.tif 000007
【図４】
2015516718.tif 000008
【図５】
2015516718.tif 000009
【図６】
2015516718.tif 000010
【図７】
2015516718.tif 000011
【図８】
2015516718.tif 000012
【図９】
2015516718.tif 000013
【国際調査報告】
2015516718.tif 000014
2015516718.tif 000015